(57)【要約】      （修正有）【課題】発光効率を光源出力明度を向上させたキーボード及び薄膜回路板を提供する。【解決手段】キーボード１００は、キャップ２１０、発光層５００、リターン素子３００、薄膜回路板４００を含む。キャップは透光パターン２１２を含み、リターン素子はキャップと発光層との間に位置する。薄膜回路板はリターン素子と発光層との間に設けられ、１つのタッチ区域Ｔと少なくとも１つの発光区域Ｅを有する。タッチ区域はリターン素子に正対し、発光区域は透光パターンが薄膜回路板に対応する垂直投影区域に位置する。薄膜回路板は複数の透光薄膜４１０、４２０、４３０と複数の透光接着剤層４６０、４７０を含む。透光薄膜は互いに積み重なって設けられ、透光接着剤層はいずれか２つの隣接する透光薄膜の間に位置し、且つ発光区域に充分に充填される。【選択図】図２
0003168995.tif 000002
【実用新案登録請求の範囲】
【請求項１】
少なくとも１つの透光パターンを含むキャップと、
該キャップの方向に向いて光線を出力する発光層と、
前記キャップと前記発光層との間に位置し、前記キャップに連接されるリターン素子と、
該リターン素子と前記発光層との間に設けられ、タッチ区域と少なくとも１つの発光区域とを有し、前記タッチ区域が前記リターン素子に正対し、前記発光区域が少なくとも前記透光パターンが薄膜回路板に対応する垂直投影区域に位置する薄膜回路板と
を含み、
該薄膜回路板は、
互いに積み重なって設けられた複数の透光薄膜と、いずれか２つの隣接する前記透光薄膜の間に位置し、且つ前記発光区域に充分に填充される少なくとも１つの透光接着剤層と
を含むキーボード。
【請求項２】
前記発光区域は前記垂直投影区域だけに位置し、且つ前記発光区域の面積が前記透光パターンの面積と同一である請求項１に記載のキーボード。
【請求項３】
前記発光区域の面積が前記透光パターンの面積より大きく、且つ前記発光区域が前記タッチ区域を囲み、前記タッチ区域が中空状を呈し前記透光接着剤層に完全に囲まれている請求項１に記載のキーボード。
【請求項４】
前記薄膜回路板は、
前記透光薄膜の一表面に塗布され、前記タッチ区域に位置し前記リターン素子に正対する上部電極点を含む上部回路パターンと、
別の前記透光薄膜の一表面に塗布され、前記タッチ区域に位置し、前記上部電極点に正対し、前記上部電極点と間隔を空け、且つ前記上部電極点との間に障害がない下部電極点を含む下部回路パターンと
をさらに備える請求項３に記載のキーボード。
【請求項５】
前記透光薄膜の数が３つ以上であり、前記透光薄膜の１つ以上は、別の前記透光薄膜間に挟設され、前記上部回路パターンと前記下部回路パターンを電気的に隔離し、挟設された前記透光薄膜が、前記タッチ区域に位置し且つ前記下部電極点と前記上部電極点との間に位置する第１の割れ口を有する請求項４に記載のキーボード。
【請求項６】
前記透光薄膜の数が２つである請求項４に記載のキーボード。
【請求項７】
前記透光薄膜間の前記透光接着剤層は、前記上部回路パターンと前記下部回路パターンとの接触を阻止するように填充される請求項６に記載のキーボード。
【請求項８】
前記透光薄膜間の前記透光接着剤層は、前記タッチ区域に位置する第２の割れ口を有する請求項７に記載のキーボード。
【請求項９】
前記上部回路パターンは、前記上部電極点に接続され且つ前記少なくとも１つの透光接着剤層に覆われる上部印刷導線をさらに備え、前記下部回路パターンは、前記下部電極点に接続され且つ前記少なくとも一つの透光接着剤層に覆われる下部印刷導線をさらに備える請求項４に記載のキーボード。
【請求項１０】
請求項１〜９のいずれかに記載の前記キーボードを含む電子装置。
【請求項１１】
平面が複数のキー区域に分けられ、各キー区域がタッチ区域と少なくとも１つの発光区域に分けられており、
第１の透光薄膜と、
前記第１の透光薄膜の片側に積み重なって設けられた第２の透光薄膜と、
前記第１の透光薄膜と前記第２の透光薄膜との間に接着され、且つ前記発光区域に充分に填充される少なくとも１つの透光接着剤層と
を含む薄膜回路板。
【請求項１２】
前記第１の透光薄膜の前記第２の透光薄膜に向く表面に塗布され、前記タッチ区域に位置する少なくとも１つの上部電極点と、該上部電極点に接続される少なくとも１本の上部印刷導線とを含む上部回路パターンと、
前記第２の透光薄膜の前記第１の透光薄膜に向く表面に塗布され、前記タッチ区域に位置し、前記上部電極点に正対し、前記上部電極点と間隔を空け、且つ前記間隔に障害がない少なくとも１つの下部電極点と、該下部電極点に接続される少なくとも１本の下部印刷導線とを含む下部回路パターンと
をさらに備える請求項１１に記載の薄膜回路板。
【請求項１３】
前記第１の透光薄膜と前記第２の透光薄膜との間に挟設され、少なくとも前記タッチ区域に位置し且つ前記下部電極点と前記上部電極点との間に位置する第１の割れ口を有する第３の透光薄膜をさらに含む請求項１２に記載の薄膜回路板。
【請求項１４】
平面が複数のタッチ区域、及び発光区域に分けられ、前記発光区域が前記タッチ区域を囲んでおり、
第１の透光薄膜と、
前記第１の透光薄膜の片側に積み重なって設けられた第２の透光薄膜と、
前記第１の透光薄膜と前記第２の透光薄膜との間に位置し、且つ前記発光区域に充分に填充され、それぞれ一対一で前記タッチ区域に対応する複数の空洞部を含む少なくとも１つの光接着剤層と
を備える薄膜回路板。
【請求項１５】
前記第１の透光薄膜の前記第２の透光薄膜に向く表面に塗布され、前記タッチ区域に位置する少なくとも１つの上部電極点と、該上部電極点に接続される少なくとも１本の上部印刷導線とを含む上部回路パターンと、
前記第２の透光薄膜の前記第１の透光薄膜に向く表面に塗布され、前記タッチ区域に位置し、前記上部電極点に正対し、前記上部電極点と間隔を空け、且つ前記間隔に障害がない少なくとも１つの下部電極点と、該下部電極点に接続される少なくとも１本の下部印刷導線とを含む下部回路パターンと
をさらに備える請求項１４に記載の薄膜回路板。
【請求項１６】
前記第１の透光薄膜と前記第２の透光薄膜との間に挟設され、前記タッチ区域に位置し且つ前記下部電極点と前記上部電極点との間に位置する少なくとも１つの第１の割れ口を有する第３の透光薄膜をさらに含む請求項１５に記載の薄膜回路板。
【考案の詳細な説明】
【技術分野】
【０００１】
本考案はキーボードに関し、特に、発光特徴を有するキーボード、電子装置及び薄膜回路板に関する。
【背景技術】
【０００２】
近年、使用者が明度の低い又は暗い環境でキーボードを識別・使用できない問題を克服するために、デスクトップコンピュータ、ラップトップコンピュータ、ノートパソコン、又はネットワーク・テレビが用いるキーボードにかかわらず、市場にすでに多様の発光キーボードが開示され、これらの発光キーボードは、いずれも内蔵式発光モジュールに関し、この内蔵式発光モジュールにより各キーを介して外へ光線を発射して、使用者に各キーに代表された文字と打ち位置を明確に識別させるようになっている。
【０００３】
一般的に、発光キーボードは、下から上までおおよそ発光モジュール層、薄膜回路層、キー層を含む。薄膜回路層は、発光モジュールとキー層との間に位置し、互いに積み重なって設けられた複数の薄膜と、いずれか２つの薄膜中に位置し複数のタッチスイッチを有するマトリクス回路とを含む。キー層は、それぞれ一対一で各リターン素子（ｒｅｔｕｒｎ  ｅｌｅｍｅｎｔ）に対応する複数のキャップと、それぞれ一対一で各タッチスイッチに対応する複数のリターン素子とを含む。このように、各キャップが押されると、対応するリターン素子により対応するタッチスイッチを始動させることができる。また、発光モジュール層は薄膜回路層の下に置かれるため、光線が薄膜回路層を介してキャップを照らすことによって、キャップにより光線を透過させる。
【考案の概要】
【考案が解決しようとする課題】
【０００４】
しかしながら、光線は発光モジュール層から前記薄膜回路層を通る時、前記多層の薄膜に妨害されて乱反射を生じ、さらにこの光線がキャップに照射する効率に影響を与え、発光キーボード装置の出力光源明度を低減させてしまう。
【課題を解決するための手段】
【０００５】
本考案は、光線の無駄な消耗を低減させ、さらに発光効率と光源出力明度を向上させるためのキーボード、薄膜回路板及び電子装置を提供する。
【０００６】
本考案が一実施形態により提供するキーボードは、キャップ、リターン素子、発光層、薄膜回路板を含む。キャップは透光パターンを含む。発光層はキャップの方向に向いて光線を出力する。リターン素子はキャップと発光層との間に位置し、キャップに連接される。薄膜回路板は、リターン素子と発光層との間に設けられ、タッチ区域と少なくとも１つの発光区域を有する。タッチ区域はリターン素子に正対し、発光区域は少なくとも透光パターンが薄膜回路板に対応する垂直投影区域に位置する。薄膜回路板は複数の透光薄膜と少なくとも１つの透光接着剤層を含む。透光薄膜は互いに積み重なって設けられる。透光接着剤層のそれぞれは、いずれか２つの隣接する透光薄膜の間に位置し、且つ発光区域に充分に填充される。
【０００７】
この実施形態の一変化において、発光区域は垂直投影区域だけに位置し、且つ発光区域の面積が透光パターンの面積と同一である。
【０００８】
この実施形態のまた他の一変化において、発光区域の面積は実質的に透光薄膜の面積と同一であり、即ち透光パターンの面積より大きい。なお、発光区域はタッチ区域を囲み、その内、タッチ区域が中空状を呈し透光接着剤層に完全に囲まれている。
【０００９】
本考案の他の態様は、前記キーボードを有する電子装置及び薄膜回路板を提供する。
【００１０】
本考案の一実施例において、この薄膜回路板は複数のキー区域に分けられ、各キー区域がタッチ区域と少なくとも１つの発光区域とに分けられる。この薄膜回路板は第１の透光薄膜、第２の透光薄膜、少なくとも１つの透光接着剤層を含む。第２の透光薄膜は第１の透光薄膜の片側に積み重なって設けられる。透光接着剤層は、第１の透光薄膜と第２の透光薄膜との間に接着され、且つ発光区域に充分に填充されて、各印刷回路パターンを外界の水気と接触しないように隔離する。
【００１１】
本考案のまた一実施例において、この薄膜回路板は複数のタッチ区域と単一の発光区域に分けられ、発光区域がこれらのタッチ区域を囲む。この薄膜回路板は第１の透光薄膜、第２の透光薄膜、少なくとも１つの透光接着剤層を含む。第２の透光薄膜は第１の透光薄膜の片側に積み重なって設けられる。透光接着剤層は、第１の透光薄膜と第２の透光薄膜との間に接着され、且つ発光区域に充分に填充される。透光接着剤層は、それぞれ一対一でそれらのタッチ区域に対応する複数の空洞部を含む。
【考案の効果】
【００１２】
以上述べたところをまとめると、本考案のキーボードのこれらの透光薄膜の間は、発光区域に透光接着剤層が充分に填充されているため、光線がこの薄膜回路板を通る時、乱反射を生じることなく、さらに光線が無駄に消耗されることを避けるので、発光効率を向上させ、さらに出力光源明度を向上させることができる。
【図面の簡単な説明】
【００１３】
添付図面の詳細な説明は、本考案の前記及びその他の目的、特徴、長所、実施例を更に明確にするためのものである。
【図１】本考案のキーボードの模式図である。
【図２】図１の一実施例での２−２断面図である。
【図３Ａ】方向Ｄ２に向いて薄膜回路板を透視して第１の透光薄膜と第１の透光接着剤層を見たときの平面模式図である。
【図３Ｂ】第３の透光薄膜の平面模式図である。
【図３Ｃ】方向Ｄ１に向いて薄膜回路板を透視して第２の透光薄膜と第２の透光接着剤層を見たときの平面模式図である。
【図４】本考案のキーボードの他の実施例での断面図である。
【図５】本考案のキーボードのまた他の実施例での断面図である。
【図６Ａ】方向Ｄ２に向いて薄膜回路板を透視して第１の透光薄膜と第１の透光接着剤層を見たときの平面模式図である。
【図６Ｂ】第３の透光薄膜の平面模式図である。
【図６Ｃ】方向Ｄ１に向いて薄膜回路板を透視して第２の透光薄膜と第２の透光接着剤層を見たときの平面模式図である。
【図７】本考案のキーボードのさらに他の実施例での断面図である。
【考案を実施するための形態】
【００１４】
以下、図面と詳細な説明により本考案の精神を詳しく記述するが、本考案の属する技術分野における通常の知識を有する者は本考案の好適な実施例を理解した後、本考案に教わった技術により、本考案の精神と範囲から逸脱しない限り、変動又は修飾を加えることができる。本考案は薄膜回路板、キーボード及び電子装置を提供し、薄膜回路板の各層の間において発光に対応する位置に、透光接着剤層を充分に填充することにより、光線がこの薄膜回路板を通る時、薄膜回路板では各発光位置に対応する各層の間に透光接着剤層が充分に填充されているため、光線の乱反射による無駄な消耗を避けさせ、さらに発光効率を向上させ、光源出力明度を向上させる。
【００１５】
図１及び図２を参照する。図１は本考案の電子装置とそのキーボード１００の一実施例での模式図である。図２は図１の２−２断面図である。
【００１６】
本考案の一実施例により、このキーボード１００は方向Ｄ１により順次に複数のキー素子２００、薄膜回路板４００、発光層５００、底板６００を含む。
【００１７】
各キー素子２００はキャップ２１０とリターン素子３００を含む。各キャップ２１０はキーボード１００の表面に浮かんでいる。リターン素子３００は、キャップ２１０と薄膜回路板４００との間に介在し、且つ実体的にキャップ２１０と薄膜回路板４００に連接されて、キャップ２１０を支持し、キャップ２１０を戻す。リターン素子３００は、例えば漏斗状を呈する弾性コロイド３１０（図２に示す）、連動装置（図示せず）又は両者を併用する組合せである。リターン素子３００は薄膜回路板４００の方向Ｄ１に向いて押圧部３２０を突き出す。発光層５００は、少なくとも１つの発光素子５１０（例えば発光ダイオード、ＬＥＤ）と導光板５２０を含む。導光板５２０は平行的に薄膜回路板４００の片側に位置し、発光面５２１と入光面５２２を有する。発光面５２１は薄膜回路板４００とキー素子２００に向き、入光面５２２は発光素子５１０に向いている。底板６００は発光層５００の片側に位置し、発光層５００、薄膜回路板４００、各キー素子２００を支持する。
【００１８】
また、キャップ２１０は、１つ又は複数の透光パターン２１２と不透光区域２１３（例えば黒いマスク又は塗層）を有する押圧面２１１を備える。透光パターン２１２は発光面５２１に対応し、発光線Ｌを表示する。透光パターン２１２は、例えば文字符号、数字符号、幾何形状符号又はそれらの組合せである。不透光区域２１３はこの透光パターン２１２を囲み、透光パターン２１２に対するキャップ２１０のその他の区域となる。このため、発光層５００の光線Ｌはさらに著しく透光パターン２１２から射出される。
【００１９】
図２及び図３Ａ〜図３Ｃを参照する。図３Ａは図２において方向Ｄ２に向いて薄膜回路板４００を透視して第１の透光接着剤層４６０と第１の透光薄膜４１０を見たときの平面模式図である。図３Ｂは図２の第３の透光薄膜４３０の平面模式図である。図３Ｃは図２において方向Ｄ１に向いて薄膜回路板４００を透視して第２の透光接着剤層４７０と第２の透光薄膜４２０を見たときの平面模式図である。
【００２０】
前記薄膜回路板４００は、キー素子２００と発光層５００との間に設けられ、その平面には、各キー素子２００に対応してそれぞれ複数のキー区域Ｋを備え、各キー区域Ｋがおおよそ複数の発光区域Ｅと１つのタッチ区域Ｔに分けられる。これらのタッチ区域Ｔのそれぞれは一対一でこれらのキー素子２００に対応して設けられる。各発光区域Ｅのそれぞれは、一対一で１つの透光パターン２１２に対応し、いわゆる、各透光パターン２１２がそれぞれ薄膜回路板４００に対応する「垂直投影区域」に設けられる。具体的には、各透光パターン２１２はこの実施例においてキャップ２１０に分布した面積が、発光区域Ｅは薄膜回路板４００に分布し面積と同一である。しかしながら、その他の変化において、各キー区域はおおよそ単一の発光区域と１つのタッチ区域に簡素化してもよい。
【００２１】
この実施例において、この薄膜回路板４００は複数の透光薄膜を含み、その数が３つ以上となる。具体的には、薄膜回路板４００は少なくとも第１の透光薄膜４１０、第２の透光薄膜４２０、第３の透光薄膜４３０、上部回路パターン４１１、下部回路パターン４２１、第１の透光接着剤層４６０、第２の透光接着剤層４７０（図２）を含む。第１の透光薄膜４１０、第３の透光薄膜４３０、第２の透光薄膜４２０は、第１の透光接着剤層４６０及び第２の透光接着剤層４７０により、互いに順次に多層膜に積み重なり、その内、上部回路パターン４１１は第１の透光薄膜４１０の第２の透光薄膜４２０に向く表面に塗布され、下部回路パターン４２１は、第２の透光薄膜４２０の第１の透光薄膜４１０に向く表面に塗布される。第３の透光薄膜４３０は第１の透光薄膜４１０と第２の透光薄膜４２０との間に位置し、第１の透光薄膜４１０の内側における上部回路パターン４１１と第２の透光薄膜４２０の内側における下部回路パターン４２１との電気的な接続を電気的に隔離できる。
【００２２】
第１の透光薄膜４１０と第３の透光薄膜４３０とは第１の透光接着剤層４６０により互いに結合されるため、第１の透光接着剤層４６０は、第１の透光薄膜４１０と第３の透光薄膜４３０との間に挟設され、且つ第１の透光薄膜４１０と第３の透光薄膜４３０との間において発光区域Ｅに対する区域に充分に填充されており、第１の透光薄膜４１０と第３の透光薄膜４３０との間において発光区域Ｅに対する区域に空気がないようにする。逆に、第１の透光薄膜４１０と第３の透光薄膜４３０との間において各タッチ区域Ｔに対する区域は、いずれも第１の透光接着剤層４６０を備えず、中空状を呈する。
【００２３】
第２の透光薄膜４２０と第３の透光薄膜４３０とは第２の透光接着剤層４７０により互いに結合されるため、第２の透光接着剤層４７０は、第２の透光薄膜４２０と第３の透光薄膜４３０との間に挟設され、且つ第２の透光薄膜４２０と第３の透光薄膜４３０との間において発光区域Ｅに対する区域に充分に填充されており、第２の透光薄膜４２０と第３の透光薄膜４３０との間において発光区域Ｅに対する区域に空気がないようにする。逆に、第２の透光薄膜４２０と第３の透光薄膜４３０との間において各タッチ区域Ｔに対する区域は、いずれも第２の透光接着剤層４７０を備えず、中空状を呈する。
【００２４】
上部回路パターン４１１は複数の上部印刷導線４１２と複数の上部電極点４１３を含む。これらの上部印刷導線４１２のそれぞれはその内の上部電極点４１３に接続される。各上部電極点４１３のそれぞれは、一対一でこれらのタッチ区域Ｔに位置し、且つ第１の透光接着剤層４６０に覆われないようになっている。下部回路パターン４２１は複数の下部印刷導線４２２と複数の下部電極点４２３を含む。これらの下部印刷導線４２２のそれぞれはその内の下部電極点４２３に接続される。これらの下部電極点４２３のそれぞれは、一対一でこれらのタッチ区域Ｔに位置し、且つ第２の透光接着剤層４７０に覆われておらず、一対一でこれらの上部電極点４１３に正対するようになっている。なお、これらの下部電極点４２３のそれぞれは一対一で対応する上部電極点４１３と間隔Ｇを空け、且つこの間隔Ｇに障害がない。
【００２５】
また、第３の透光薄膜４３０は複数の第１の割れ口４３１を有する。これらの第１の割れ口４３１のそれぞれは一対一でこれらのタッチ区域Ｔに位置し、且つ対応する下部電極点４２３と上部電極点４１３との間に位置しているので、第１の透光薄膜４１０と第３の透光薄膜４３０との間において各タッチ区域Ｔに対する区域及び第２の透光薄膜４２０と第３の透光薄膜４３０との間において各タッチ区域Ｔに対する区域を、対応する第１の割れ口４３１によって、互いに接続させることができる。このように、これらの下部電極点４２３のそれぞれは対応する上部電極点４１３と障害ない間隔Ｇを空けることができ、上部電極点４１３を下部電極点４２３に実体的／電気的に接触させる。
【００２６】
このように、各透光薄膜の間において発光区域Ｅに対する区域はいずれも透光接着剤層が填充されているため、導光板５２０の光線Ｌが発光面５２１によりこの薄膜回路板４００を通る時、光線Ｌを有効に発光区域Ｅによりこれらの透光パターン２１２の方向（図において方向Ｄ２）に向いて進ませるようになり、さらに発光効率を向上させ、光源出力明度を向上させる。
【００２７】
図４を参照する。図４は本考案の電子装置とそのキーボード１００の他の実施例での断面図である。
【００２８】
この実施例において、この薄膜回路板４０１の透光薄膜の数を２つに簡素化してもよい。具体的には、薄膜回路板４０１は、第４の透光薄膜４４０、第５の透光薄膜４５０、第３の透光接着剤層４８０を含む。第４の透光薄膜４４０と第５の透光薄膜４５０とは、第３の透光接着剤層４８０により、互いに多層膜に積み重なる。上部回路パターン４１１は第４の透光薄膜４４０の第５の透光薄膜４５０に向く表面に塗布される。下部回路パターン４２１は第５の透光薄膜４５０の第４の透光薄膜４４０に向く表面に塗布される。第３の透光接着剤層４８０は、第４の透光薄膜４４０と第５の透光薄膜４５０との間に位置し、第４の透光薄膜４４０と第５の透光薄膜４５０との間に隙間を生じさせて、第４の透光薄膜４４０の内側における上部回路パターン４１１と第５の透光薄膜４５０の内側における下部回路パターン４２１との電気的な接続を電気的に隔離することができ、第４の透光薄膜４４０と第５の透光薄膜４５０との間において発光区域Ｅに対する区域に充分に填充されて、第４の透光薄膜４４０と第５の透光薄膜４５０との間において発光区域Ｅに対する区域に空気がないようにする。
【００２９】
上部回路パターン４１１と下部回路パターン４２１の特徴は上述のものと同一であるため、ここで詳しく述べない。図５及び図６Ａ〜図６Ｃを参照する。図５は本考案のキーボード１００のまた他の実施例での断面図である。図６Ａは図５において方向Ｄ２に向いて薄膜回路板４０２を透視して第１の透光薄膜４１０と第１の透光接着剤層４６１を見たときの平面模式図である。図６Ｂは図５の第３の透光薄膜４３０の平面模式図である。図６Ｃは図５において方向Ｄ１に向いて薄膜回路板４０２を透視して第２の透光薄膜４２０と第２の透光接着剤層４７１を見たときの平面模式図である。
【００３０】
前記薄膜回路板４０２はキー素子２００と発光層５００との間に設けられ、その平面上をおおよそ発光区域Ｅと複数のタッチ区域Ｔに分けることができる。各タッチ区域Ｔのそれぞれは一対一でこれらのキー素子２００に対応して設けられ、いずれも発光区域Ｅに囲まれる（図６Ａ）。この実施例において、この薄膜回路板４０２は複数の透光薄膜を含み、その数が３つ以上となる。具体的には、薄膜回路板４０２は少なくとも第１の透光薄膜４１０、第２の透光薄膜４２０、第３の透光薄膜４３０、上部回路パターン４１１、下部回路パターン４２１、第１の透光接着剤層４６１、第２の透光接着剤層４７１（図５）を含む。第１の透光薄膜４１０、第３の透光薄膜４３０、第２の透光薄膜４２０は、第１の透光接着剤層４６１及び第２の透光接着剤層４７１により、互いに順次に多層膜に積み重なり、その内、上部回路パターン４１１は第１の透光薄膜４１０の第２の透光薄膜４２０に向く表面に塗布され、下部回路パターン４２１は第２の透光薄膜４２０の第１の透光薄膜４１０に向く表面に塗布される。第３の透光薄膜４３０は、第１の透光薄膜４１０と第２の透光薄膜４２０との間に位置し、第１の透光薄膜４１０の内側における上部回路パターン４１１と第２の透光薄膜４２０の内側における下部回路パターン４２１との電気的な接続を電気的に隔離することができる。
【００３１】
第１の透光薄膜４１０と第３の透光薄膜４３０とは第１の透光接着剤層４６１により互いに結合されるため、第１の透光接着剤層４６１は第１の透光薄膜４１０と第３の透光薄膜４３０との間に挟設され、且つ第１の透光接着剤層４６１は第１の透光薄膜４１０と第３の透光薄膜４３０との間において発光区域Ｅに対する区域に充分に填充されており、第１の透光薄膜４１０と第３の透光薄膜４３０との間において発光区域Ｅに対する区域にほとんど空気がないようにする。また、第１の透光接着剤層４６１は第１の透光薄膜４１０と第３の透光薄膜４３０との間において発光区域Ｅに対する区域中だけに位置するため、第１の透光接着剤層４６１はこれらのタッチ区域Ｔを囲む区域に第１の空洞部４６２を有して、第１の透光薄膜４１０と第３の透光薄膜４３０との間において各タッチ区域Ｔに対する区域はいずれも透光接着剤層を有しないようにし、中空状を呈する。
【００３２】
第２の透光薄膜４２０と第３の透光薄膜４３０とは第２の透光接着剤層４７１により互いに結合されるため、第２の透光接着剤層４７１は第２の透光薄膜４２０と第３の透光薄膜４３０との間に挟設され、且つ第２の透光薄膜４２０と第３の透光薄膜４３０との間において発光区域Ｅに対する区域に充分に填充されており、第２の透光薄膜４２０と第３の透光薄膜４３０との間において発光区域Ｅに対する区域にほとんど空気がないようにする。また、第２の透光接着剤層４７１は第２の透光薄膜４２０と第３の透光薄膜４３０との間において発光区域Ｅに対する区域だけに位置するため、第２の透光接着剤層４７１はこれらのタッチ区域Ｔを囲む区域に第２の空洞部４７２を有して、第２の透光薄膜４２０と第３の透光薄膜４３０との間において各タッチ区域Ｔに対する区域はいずれも透光接着剤層を有しないようにし、中空状を呈する。
【００３３】
上部回路パターン４１１と下部回路パターン４２１の特徴は上述のものと同一であるため、ここで詳しく述べない。ただし、これらの上部印刷導線４１２は発光区域Ｅ内で第１の透光接着剤層４６１に覆われる。これらの下部印刷導線４２２は発光区域Ｅ内で第２の透光接着剤層４７１に覆われる。また、第３の透光薄膜４３０の第１の割れ口４３１の特徴は以上と同一であるため、ここで詳しく述べない。
【００３４】
このように、各透光薄膜の間において発光区域Ｅに対する区域はいずれも透光接着剤層が填充されているため、導光板５２０の光線Ｌが発光面５２１によりこの薄膜回路板４００を通る時、光線Ｌを多量的にこれらのキー素子２００の方向（図において方向Ｄ２）に向いて進ませるようになり、さらに発光効率を向上させ、光源出力明度を向上させながら、各印刷回路パターンを外界の水気と接触しないように隔離する。
【００３５】
図７を参照する。図７は本考案の電子装置とそのキーボード１００のさらに他の実施例での断面図である。この実施例において、この薄膜回路板４０３の透光薄膜の数を２つに簡素化してもよい。具体的には、薄膜回路板４０３は、第４の透光薄膜４４０、第５の透光薄膜４５０、第３の透光接着剤層４８１を含む。第４の透光薄膜４４０と第５の透光薄膜４５０とは、第３の透光接着剤層４８１により、互いに多層膜に積み重なる。上部回路パターン４１１は第４の透光薄膜４４０の第５の透光薄膜４５０に向く表面に塗布される。下部回路パターン４２１は第５の透光薄膜４５０の第４の透光薄膜４４０に向く表面に塗布される。第３の透光接着剤層４８１は、第４の透光薄膜４４０と第５の透光薄膜４５０との間に位置し、第４の透光薄膜４４０の内側における上部回路パターン４１１と第５の透光薄膜４５０の内側における下部回路パターン４２１との電気的な接続を電気的に隔離することができ、第４の透光薄膜４４０と第５の透光薄膜４５０との間において発光区域Ｅに対する区域に充分に填充されて、第４の透光薄膜４４０と第５の透光薄膜４５０との間において発光区域Ｅに対する区域にほとんど空気がないようにする。第３の透光接着剤層４８１は第４の透光薄膜４４０と第５の透光薄膜４５０との間において発光区域Ｅに対する区域だけに位置するため、第３の透光接着剤層４８１はこれらのタッチ区域Ｔを囲んで、第４の透光薄膜４４０と第５の透光薄膜４５０との間において各タッチ区域Ｔに対する区域はいずれも透光接着剤層を有しないようにし、中空状を呈する。
【００３６】
上部回路パターン４１１と下部回路パターン４２１の特徴は以上と同一であるため、ここで詳しく述べない。上部回路パターン４１１の上部印刷導線４１２と下部回路パターン４２１の下部印刷導線４２２は、いずれも第３の透光接着剤層４８１に覆われる。
【００３７】
また、第３の透光接着剤層４８１は複数の第２の割れ口４８２を有する。これらの第２の割れ口４８２のそれぞれは一対一でこれらのタッチ区域Ｔに位置し、且つ対応する下部電極点４２３と上部電極点４１３との間に位置しているので、第４の透光薄膜４４０と第５の透光薄膜４５０との間における各タッチ区域Ｔを、対応する第２の割れ口４８２によって、互いに接続させることができる。このように、これらの下部電極点４２３のそれぞれは対応する上部電極点４１３と障害ない間隔Ｇを空けることができ、上部電極点４１３を下部電極点４２３に実体的／電気的に接触させる。
【００３８】
本考案のキーボード１００の形式は独立なキーボード（例えば有線又は無線キーボード装置）又は携帯式電子装置（例えばノートパソコン又は携帯電話）に装着された内蔵式キーボードに限られない。本考案の前記キーボードの種類も、一般的なキーボード、チョコレートキーボード、アイソレーションキーボード又はフローティングキーボード等に限られない。
【００３９】
本考案が前記これらの実施例に開示したキーボード１００は、電子装置に応用されてよく、電子装置のキーボードにより良い発光品質を提供する。本考案は、電子装置の種類を限定せず、前記キーボードを有する電子装置であれば、本考案が保護する範囲にあり、本考案の電子装置は、ノートパソコン、携帯電話、ビデオカメラ、カメラ、ゲーム機、言語翻訳機、ミュージックプレーヤー、ディスプレー、デジタルフォトフレーム、照明用具の１つに限られない。
【００４０】
本考案は既に好適な実施例で以上のように開示されたが、該技術分野における通常の知識を有する者は、本考案の精神と範囲から逸脱しない限り、多様の変動や修飾を加えることができるため、本考案の保護範囲は、実用新案登録請求の範囲で指定した内容を基準とする。
【符号の説明】
【００４１】
１００  キーボード、２００  キー素子、２１０  キャップ、２１１  押圧面、２１２  透光パターン、２１３  不透光区域、３００  リターン素子、３１０  弾性コロイド、３２０  押圧部、４００、４０１、４０２、４０３  薄膜回路板、４１０  第１の透光薄膜、４１１  上部回路パターン、４１２  上部印刷導線、４１３  上部電極点、４２０  第２の透光薄膜、４２１  下部回路パターン、４２２  下部印刷導線、４２３  下部電極点、４３０  第３の透光薄膜、４３１  第１の割れ口、４４０  第４の透光薄膜、４５０  第５の透光薄膜、４６０、４６１  第１の透光接着剤層、４６２  第１の空洞部、４７０、４７１  第２の透光接着剤層、４７２  第２の空洞部、４８０、４８１  第３の透光接着剤層、４８２  第２の割れ口、５００  発光層、５１０  発光素子、５２０  導光板、５２１  発光面、５２２  入光面、６００  底板、Ｄ１、Ｄ２  方向、Ｅ  発光区域、Ｇ  間隔、Ｌ  光線、Ｋ  キー区域、Ｔ  タッチ区域  
【図１】
0003168995.tif 000003
【図２】
0003168995.tif 000004
【図３Ａ】
0003168995.tif 000005
【図３Ｂ】
0003168995.tif 000006
【図３Ｃ】
0003168995.tif 000007
【図４】
0003168995.tif 000008
【図５】
0003168995.tif 000009
【図６Ａ】
0003168995.tif 000010
【図６Ｂ】
0003168995.tif 000011
【図６Ｃ】
0003168995.tif 000012
【図７】
0003168995.tif 000013